(57)【特許請求の範囲】
【請求項１】
コンタクトと、前記コンタクトを保持する保持部材と、前記保持部材に取り付けられたシェルとを備えるコネクタであって、
前記シェルは、一枚の金属板を打ち抜き且つ折り曲げ形成して得られるものであり、且つ、前記保持部材を少なくとも部分的に覆う主部と、前記主部を固定対象物に固定するための２つの固定部とを有しており、
前記主部は、２つの側部と、前記側部の夫々を横方向において連結する平板状の上部とを有しており、
前記上部は、所定平面に対して平行となるように位置しており、
前記固定部は、前記側部に夫々連結されており、
前記側部と前記固定部との境界部は、前記所定平面と交差する方向に延びており、
前記固定部は、前記横方向において前記側部の外側に位置する本体部と、前記横方向において前記側部の存する位置を越えるようにして前記本体部から前記横方向の内側に向かって延びる補強部とを有しており、
前記境界部は、折り返して形成された部位であり、且つ、前記側部と前記本体部とが互いに平行に延びるように前記側部と前記本体部とを接続しており、
前記コネクタが前記固定対象物に固定された状態において前記固定対象物から離れる方向に向かう力が前記コネクタに加えられた場合であっても、前記補強部が少なくとも前記シェルの一部に接触して前記力を分散させることにより、前記境界部の損傷の発生を抑える
コネクタ。
【請求項２】
請求項１記載のコネクタであって、
前記補強部は、上方から見た場合に、前記側部と交差している
コネクタ。
【請求項３】
請求項１又は請求項２記載のコネクタであって、
前記補強部は前記上部と少なくとも部分的に重なるように前記上部の上側に延びている
コネクタ。
【請求項４】
請求項１又は請求項２記載のコネクタであって、
前記上部には、前記側部の上縁から前記横方向において内側に凹んだ凹部が形成されており、
前記補強部は、前記横方向と直交する垂直方向において前記上部とほぼ同位置にあり、且つ、前記側部の前記上縁の上を越えるようにして前記凹部内に延びており、
前記コネクタが前記固定対象物に固定された状態において前記固定対象物から離れる方向に向かう力が前記コネクタに加えられた場合であっても、前記補強部が少なくとも前記側部の前記上縁に接触して前記力を分散させることにより、前記境界部の損傷の発生を抑える
コネクタ。
【請求項５】
請求項１又は請求項２記載のコネクタであって、
前記側部には、前記側部を前記横方向において貫通する開口部が形成されており、
前記補強部は、前記開口部を通じて前記横方向の内側に向かって延びており、
前記コネクタが前記固定対象物に固定された状態において前記固定対象物から離れる方向に向かう力が前記コネクタに加えられた場合であっても、前記補強部が少なくとも前記側部の前記開口部の縁部に接触して前記力を分散させることにより、前記境界部の損傷の発生を抑える
コネクタ。
【請求項６】
請求項５記載のコネクタであって、
前記保持部材には、溝が形成されており、
前記補強部は、前記溝内に少なくとも部分的に差し込まれており、
前記コネクタが前記固定対象物に固定された状態において前記固定対象物から離れる方向に向かう力が前記コネクタに加えられた場合であっても、前記補強部が少なくとも前記保持部材の前記溝に保持され且つ前記側部の前記開口部の縁部に接触することで、前記力を分散させることにより、前記境界部の損傷の発生を抑える
コネクタ。
【請求項７】
請求項１乃至請求項６のいずれかに記載のコネクタであって、
前記コネクタは、相手側コネクタと嵌合する嵌合端を有しており、
前記境界部は、前記嵌合端側にある
コネクタ。
【請求項８】
請求項１乃至請求項７のいずれかに記載のコネクタであって、
前記固定対象物は、印刷回路基板であり、
前記固定部は、前記横方向において前記本体部から外側に延びるフランジ部を更に有しており、
前記フランジ部は、前記印刷回路基板にネジ止めされるものである
コネクタ。
【請求項９】
請求項５又は請求項６のコネクタと嵌合可能な相手側コネクタであって、
前記コネクタと前記相手側コネクタとの嵌合時において前記補強部が差し込まれる相手側溝を備えており、
前記コネクタが前記固定対象物に固定された状態において前記固定対象物から離れる方向に向かう力が前記コネクタに加えられた場合であっても、前記補強部が前記相手側コネクタの前記相手側溝に保持されることで、前記力を更に分散させることにより、前記境界部の損傷の発生を抑える
相手側コネクタ。
【発明の詳細な説明】
【技術分野】
【０００１】
本発明は、印刷回路基板やＦＰＣ（Flexible Printed Circuit）、ＦＦＣ（Flexible Flat Cable）のような固定対象物に固定されるコネクタに関する。
【背景技術】
【０００２】
回路基板に固定されるコネクタとしては、例えば、特許文献１又は特許文献２に開示されたものがある。いずれのコネクタも金属板を折り曲げ形成して得られるシェルを備えている。
【０００３】
特許文献１のコネクタは、回路基板と平行な面内に延びる折返し部と、その折返し部の先端に形成され回路基板の孔に挿入固定されるシェル端子とを有している。特許文献１の折返し部は、シェルの底板部の前端から金属板を後方に折り返すことにより形成されている。
【０００４】
特許文献２のコネクタは、回路基板と直交する面内に延びるシェル端子部を有している。特許文献２のシェル端子部は、シェル嵌合部の前端から金属板を外側に折り返すことにより形成されている。
【先行技術文献】
【特許文献】
【０００５】
【特許文献１】特開２０００−３５７５５０号公報
【特許文献２】特開２００４−１４３５０号公報
【発明の概要】
【発明が解決しようとする課題】
【０００６】
特許文献１のコネクタの場合、折返し部が回路基板と平行な面内に延びていることから、例えば、コネクタに対して回路基板から離れる方向へ向かう力が加えられると、シェルが変形し易いといった問題がある。
【０００７】
特許文献２のコネクタの場合、シェル端子部が回路基板と直交する面内に延びていることから、特許文献１のコネクタのような問題はない。しかし、コネクタの低背化が進むにつれて、シェル嵌合部とシェル端子部との境界部のサイズが小さくなる（回路基板と直交する方向において境界部の長さが短くなる）ことから、境界部の強度不足が懸念される。
【０００８】
そこで、本発明は、コネクタに対して回路基板のような固定対象物から離れる方向へ向かう力が加えられた場合であってもシェルの変形を抑えることのできるコネクタを提供することを目的とする。
【課題を解決するための手段】
【０００９】
本発明は、第１のコネクタとして、
コンタクトと、前記コンタクトを保持する保持部材と、前記保持部材に取り付けられたシェルとを備えるコネクタであって、
前記シェルは、前記保持部材を少なくとも部分的に覆う主部と、前記主部を固定対象物に固定するための２つの固定部とを有しており、
前記主部は、２つの側部と、前記側部の夫々を横方向において連結する平板状の上部とを有しており、
前記上部は、所定平面に対して平行となるように位置しており、
前記固定部は、前記側部に夫々連結されており、
前記側部と前記固定部との境界部は、前記所定平面と交差する方向に延びており、
前記固定部は、前記横方向において前記側部の外側に位置する本体部と、前記横方向において前記側部の存する位置を越えるようにして前記本体部から前記横方向の内側に向かって延びる補強部とを有している
コネクタを提供する。
【００１０】
また、本発明は、第２のコネクタとして、第１のコネクタであって、
前記補強部は、上方から見た場合に、前記側部と交差している
コネクタを提供する。
【００１１】
また、本発明は、第３のコネクタとして、第１又は第２のコネクタであって、
前記補強部は前記上部と少なくとも部分的に重なるように前記上部の上側に延びている
コネクタを提供する。
【００１２】
また、本発明は、第４のコネクタとして、第１又は第２のコネクタであって、
前記上部には、前記側部の上縁から前記横方向において内側に凹んだ凹部が形成されており、
前記補強部は、前記横方向と直交する垂直方向において前記上部とほぼ同位置にあり、且つ、前記側部の前記上縁の上を越えるようにして前記凹部内に延びている
コネクタを提供する。
【００１３】
また、本発明は、第５のコネクタとして、第１又は第２のコネクタであって、
前記側部には、前記側部を前記横方向において貫通する開口部が形成されており、
前記補強部は、前記開口部を通じて前記横方向の内側に向かって延びている
コネクタを提供する。
【００１４】
また、本発明は、第６のコネクタとして、第５のコネクタであって、
前記保持部材には、溝が形成されており、
前記補強部は、前記溝内に少なくとも部分的に差し込まれている
コネクタを提供する。
【００１５】
また、本発明は、第７のコネクタとして、第１乃至第６のいずれかのコネクタであって、
前記コネクタは、相手側コネクタと嵌合する嵌合端を有しており、
前記境界部は、前記嵌合端側にある
コネクタを提供する。
【００１６】
また、本発明は、第８のコネクタとして、第１乃至第７のいずれかのコネクタであって、
前記シェルは、一枚の金属板を打ち抜き且つ折り曲げ形成して得られるものである
コネクタを提供する。
【００１７】
また、本発明は、第９のコネクタとして、第１乃至第８のいずれかのコネクタであって、
前記固定対象物は、印刷回路基板であり、
前記固定部は、前記横方向において前記本体部から外側に延びるフランジ部を更に有しており、
前記フランジ部は、前記印刷回路基板にネジ止めされるものである
コネクタを提供する。
【００１８】
更に、本発明は、第５又は第６のコネクタと嵌合可能な相手側コネクタであって、
前記コネクタと前記相手側コネクタとの嵌合時において前記補強部が差し込まれる相手側溝を備えている
相手側コネクタを提供する。
【発明の効果】
【００１９】
本発明によれば、側部と固定部との境界部が所定平面と交差する方向（例えば、回路基板を固定対象物としてコネクタを回路基板上に固定した場合にあっては回路基板と交差する方向）に延びていることから、特許文献１のコネクタのような問題は生じない。
【００２０】
また、本発明によれば、横方向において側部の存する位置を越えるようにして本体部から横方向の内側に向かって延びる補強部を固定部に設けたことから、固定対象物から離れる方向に向かう力がコネクタに対して加えられたとしても補強部が上部や側部、相手側コネクタなどに当たって力を分散させることができ、側部と固定部との境界部のみにストレスが加わってしまうことを避けることができる。
【図面の簡単な説明】
【００２１】
【図１】本発明の第１の実施の形態によるコネクタを示す斜視図である。
【図２】図１のコネクタを示す正面図である。
【図３】図２のコネクタをIII--III線に沿って示す断面図である。
【図４】図１のコネクタの相手側コネクタを示す斜視図である。
【図５】図４の相手側コネクタを示す他の斜視図である。
【図６】本発明の第２の実施の形態によるコネクタを示す斜視図である。
【図７】図６のコネクタを示す正面図である。
【図８】図７のコネクタをVIII--VIII線に沿って示す断面図である。
【図９】本発明の第３の実施の形態によるコネクタを示す斜視図である。
【図１０】図９のコネクタを示す正面図である。
【図１１】図９のコネクタを示す側面図である。
【図１２】図９のコネクタの相手側コネクタを示す斜視図である。
【図１３】図１２の相手側コネクタを示す他の斜視図である。
【図１４】本発明の第４の実施の形態によるコネクタを示す斜視図である。
【図１５】図１４のコネクタを示す正面図である。
【図１６】図１５のコネクタの一部を示す拡大図である。
【図１７】図１４のコネクタを示す側面図である。
【発明を実施するための形態】
【００２２】
以下、本発明の実施の形態によるコネクタについて図面を参照して詳細に説明する。なお、以下の実施の形態においては、コネクタを搭載固定する固定対象物として印刷回路基板を想定した例について説明するが、本発明はこれ限定されるわけではなく、本発明によるコネクタはＦＰＣやＦＦＣその他の回路基板などを固定対象物とするものであってもよい。
【００２３】
（第１の実施の形態）
図１乃至図３を参照すると、本発明の第１の実施の形態によるコネクタ１は、導電体からなる複数のコンタクト１０と、コンタクト１０を保持する絶縁体からなる保持部材２０と、金属からなるシェル３０とを備えている。
【００２４】
図２に示されるように、コンタクト１０は、横方向（Ｙ方向）に並ぶように保持部材２０に保持されている。図２及び図３に示されるように、保持部材２０は、板状部２２と、コネクタ１の後端（−Ｘ側端部）３近傍に位置する後端部２４と、後端部２４から下方（−Ｚ方向）に突出した位置決めボス２６とを有している。板状部２２は、コネクタ１の前端（嵌合端）２に向かって（＋Ｘ方向に向かって）後端部２４から張り出しており、その上面上にはコンタクト１０の接触部が配列されている。後端部２４は、横方向（Ｙ方向）に延びるブロック状の形状を有している。位置決めボス２６は、回路基板（図示せず）に設けられた位置決め孔に挿入され、回路基板（図示せず）上でのコネクタ１の位置を位置決めするためのものである。
【００２５】
図１乃至図３から理解されるように、シェル３０は、保持部材２０に取り付けられている。このシェル３０は、一枚の金属板を打ち抜いた後、折り曲げて形成されたものである。詳しくは、シェル３０は、保持部材２０を部分的に覆う主部４０と、主部４０を回路基板（図示せず）に固定するための２つの固定部７０とを有している。
【００２６】
本実施の形態による主部４０は、前方（＋Ｘ側）から見た場合に、横方向（Ｙ方向）に長手を有する角筒状の形状を有している。この主部４０は、相手側コネクタ５を受容する受容部４を構成している。上述した保持部材２０の板状部２２は、この受容部４内に位置している。
【００２７】
詳しくは、主部４０は、２つの板状の側部５０と、横方向（Ｙ方向）において側部５０の上縁５２同士を連結する板状の上部６０と、横方向（Ｙ方向）において側部５０の下縁５４同士を連結する板状の底部６５とを有している。折り曲げ形成時の曲げ部のカーブ（Ｒ）を除き、概略、側部５０は、横方向（Ｙ方向）と直交する面内（ＸＺ平面内）に延びており、上部６０及び底部６５は、横方向（Ｙ方向）を含む所定平面（水平面：ＸＹ平面）と平行に延びている。側部５０の後端には、回路基板のスルーホール（図示せず）に挿入固定（半田付け等による）されるポスト５６が形成されている。ポスト５６は、下方（−Ｚ方向）に延びている。本実施の形態による底部６５は、２つの部位からなり横方向（Ｙ方向）の中心近傍で互いに接続されるように、かしめ（図示せず）られている。
【００２８】
固定部７０は、側部５０と接続された本体部７５と、本体部７５から横方向（Ｙ方向）の内側に向かって延びる補強部８０と、本体部７５から横方向（Ｙ方向）の外側に向かって延びるフランジ部８５とを有している。
【００２９】
本体部７５は、側部５０と平行に延びている。即ち、本体部７５は、横方向（Ｙ方向）と直交する面内（ＸＺ平面内）に延びている。本体部７５は、コネクタ１の前端２側において側部５０と接続されている。即ち、側部５０と固定部７０との境界部９０は、コネクタ１の前端（嵌合端）２側に位置している。本実施の形態において、境界部９０は、上下方向（Ｚ方向）に延びている。即ち、境界部９０は、所定平面（ＸＹ平面）と直交する方向に延びている。ここで、本発明はこれに限定されるものではない。但し、特許文献１のように境界部９０が所定平面（ＸＹ平面）と水平な方向に延びていると、コネクタ１に対して＋Ｚ方向に向かう力が加わった場合にシェル３０が変形してしまう恐れが高くなるので、シェル３０の強度確保を考慮すると、境界部９０は少なくとも所定平面（ＸＹ平面）と交差する方向に延びていることが望ましい。
【００３０】
補強部８０は、本体部７５の上端から横方向（Ｙ方向）において側部５０よりも内側まで延びている。即ち、補強部８０は、横方向（Ｙ方向）において側部５０の存する位置を越えるようにして本体部７５から横方向（Ｙ方向）の内側に向かって延びている。特に、本実施の形態による補強部８０は、上部６０の上側（＋Ｚ側）に位置しており、上部６０の一部と重なっている。また、補強部８０は、横方向（Ｙ方向）において受容部４の上方に延びている。即ち、後述する相手側コネクタ５とコネクタ１とを嵌合した状態において、補強部８０は相手側コネクタ５の上方まで延びている。なお、本実施の形態による補強部８０は、前後方向（Ｘ方向）において一定のサイズを有しており、長方形形状を有しているが、本発明はこれに限定されるものではなく、例えば、補強部８０は、Ｌ字状等の長方形以外の形状を有していてもよい。また、補強部８０は、本体部７５よりも後方（−Ｘ側）まで延びていてもよいし、その場合、保持部材２０の後端部２４の後側に折り込まれていてもよい。
【００３１】
フランジ部８５には、孔８８が設けられている。この孔８８は、コネクタ１を回路基板（図示せず）上にネジ留め固定等する際に用いられる。なお、フランジ部８５を半田付けにより固定してもよい。
【００３２】
図４及び図５を参照すると、本実施の形態によるコネクタ１の相手側コネクタ５は、コネクタ１の受容部４に受容され嵌合される相手側嵌合部６を備えている。この相手側嵌合部６には、コネクタ１と相手側コネクタ５との嵌合状態においてコネクタ１の板状部２２を受容する相手側受容部７が設けられている。
【００３３】
この相手側コネクタ５が例えばケーブルの接続されたケーブルコネクタであった場合にはケーブルを煽ることにより相手側コネクタ５を介してコネクタ１に回路基板（図示せず）から離れる方向に向かう力が加わることがある。しかし、境界部９０が所定平面（ＸＹ平面：水平面）と直交していることから、上述した力が加わった場合であっても、側部５０と固定部７０とが離れてしまうようなことがない。また、上述した力が加わった場合であっても、補強部８０が上部６０に接触して力を分散させることから、境界部９０のみにストレスが加わってしまうことがなく、当該ストレスによる境界部９０の損傷の発生を抑えることができる。
【００３４】
（第２の実施の形態）
図６乃至図８を参照すると、本発明の第２の実施の形態によるコネクタ１ａは、上述した第１の実施の形態によるコネクタ１（図１乃至図３参照）の変形例であり、上述した相手側コネクタ５（図４及び図５参照）と嵌合接続することのできるものである。図示されたように、本実施の形態によるコネクタ１ａは、導電体からなる複数のコンタクト１０と、コンタクト１０を保持する絶縁体からなる保持部材２０と、金属からなるシェル３０ａとを備えている。即ち、本実施の形態によるコネクタ１ａは、上述した第１の実施の形態によるコネクタ１（図１乃至図３参照）とシェル３０ａのみにおいて異なっている。そこで、以下においては、シェル３０ａと第１の実施の形態のシェル３０との相違点ついて主として説明する。
【００３５】
図６乃至図８から理解されるように、シェル３０ａは、一枚の金属板を打ち抜いた後、折り曲げて形成されたものであり、保持部材２０に取り付けられている。シェル３０ａは、保持部材２０を部分的に覆う主部４０ａと、主部４０ａを回路基板（図示せず）に固定するための２つの固定部７０ａとを有している。
【００３６】
本実施の形態による主部４０ａは、前方（＋Ｘ側）から見た場合に、横方向（Ｙ方向）に長手を有する角筒状の形状を有しており、相手側コネクタ５を受容する受容部４を構成している。
【００３７】
詳しくは、主部４０ａは、２つの板状の側部５０と、横方向（Ｙ方向）において側部５０の上縁５２同士を連結する板状の上部６０ａと、横方向（Ｙ方向）において側部５０の下縁５４同士を連結する板状の底部６５とを有している。折り曲げ形成時の曲げ部のカーブ（Ｒ）を除き、概略、側部５０は、横方向（Ｙ方向）と直交する面内（ＸＺ平面内）に延びており、上部６０ａ及び底部６５は、横方向（Ｙ方向）を含む所定平面（水平面：ＸＹ平面）と平行に延びている。側部５０の後端には、下方（−Ｚ方向）に延びるポスト５６が形成されている。本実施の形態による底部６５は、２つの部位からなり横方向（Ｙ方向）の中心近傍で互いに接続されるように、かしめられている。
【００３８】
本実施の形態による上部６０ａには、凹部６２ａが形成されている。凹部６２ａは、側部５０の上縁５２から横方向（Ｙ方向）において内側に凹んでいる。凹部６２ａは、受容部４の上方にもかかっている。即ち、相手側コネクタ５とコネクタ１ａとの嵌合状態において相手側コネクタ５の上方にもかかっている。
【００３９】
固定部７０ａは、側部５０と接続された本体部７５ａと、本体部７５ａから横方向（Ｙ方向）の内側に向かって延びる補強部８０ａと、本体部７５ａから横方向（Ｙ方向）の外側に向かって延びるフランジ部８５ａとを有している。
【００４０】
本実施の形態においても、本体部７５ａは、側部５０と平行に延びている。また、側部５０と固定部７０ａとの境界部９０は、コネクタ１ａの前端（嵌合端）２側に位置しており、所定平面（ＸＹ平面）と直交する方向に延びている。
【００４１】
補強部８０ａは、本体部７５ａの上端から凹部６２ａ内に延びている。即ち、補強部８０ａは、横方向（Ｙ方向）において側部５０の上縁５２の上方を越えるようにして、本体部７５ａから横方向（Ｙ方向）の内側に向かって延びている。かかる補強部８０ａは、横方向（Ｙ方向）において受容部４の上方に延びている。即ち、相手側コネクタ５とコネクタ１ａとを嵌合した状態において、補強部８０ａは相手側コネクタ５の上方まで延びている。なお、本実施の形態による補強部８０ａは、前後方向（Ｘ方向）において一定のサイズを有しており、長方形形状を有しているが、本発明はこれに限定されるものではなく、例えば、補強部８０ａは、Ｌ字状等の長方形以外の形状を有していてもよい。また、補強部８０ａは、本体部７５ａよりも後方（−Ｘ側）まで延びていてもよいし、その場合、保持部材２０の後端部２４の後側に折り込まれていてもよい。
【００４２】
フランジ部８５ａには、孔８８が設けられている。この孔８８は、コネクタ１ａを回路基板（図示せず）上にネジ留め固定等する際に用いられる。なお、フランジ部８５ａを半田付けにより固定してもよい。図１及び図６を比較すると理解されるように、本実施の形態によるフランジ部８５ａは、上述した第１の実施の形態によるフランジ部８５よりも小さい。
【００４３】
本実施の形態においても、境界部９０が所定平面（ＸＹ平面：水平面）と直交していることから、コネクタ１ａに対して回路基板（図示せず）から離れる方向に向かう力が加えられた場合であっても、側部５０と固定部７０ａとが離れてしまうようなことがない。また、上述した力が加わった場合であっても、補強部８０ａが側部５０の上縁５２や相手側コネクタ５に接触して力を分散させることから、境界部９０のみにストレスが加わってしまうことがなく、当該ストレスによる境界部９０の損傷の発生を抑えることができる。
【００４４】
本実施の形態において補強部８０ａは、上下方向（Ｚ方向）において、シェル３０ａの主部４０ａの上部６０ａとほぼ同一レベルに位置している。従って、本実施の形態によるコネクタ１ａは、上述した第１の実施の形態によるコネクタ１と比較してシェル３０ａを構成する金属板の厚み一枚分だけ更に低背化を図ることができる。但し、シェルの強度的には第１の実施の形態によるコネクタ１の方が好ましい。
【００４５】
（第３の実施の形態）
図９乃至図１１を参照すると、本発明の第３の実施の形態によるコネクタ１ｂは、上述した第１の実施の形態によるコネクタ１（図１乃至図３参照）の変形例である。図示されたように、本実施の形態によるコネクタ１ｂは、導電体からなる複数のコンタクト１０と、コンタクト１０を保持する絶縁体からなる保持部材２０と、金属からなるシェル３０ｂとを備えている。本実施の形態によるコネクタ１ｂは、上述した第１の実施の形態によるコネクタ１（図１乃至図３参照）とシェル３０ｂのみにおいて異なっている。以下においては、主として、第１の実施の形態によるコネクタ１と本実施の形態によるコネクタ１ｂとの相違点ついて説明する。
【００４６】
図１２及び図１３を参照すると、本実施の形態によるコネクタ１ｂの相手側コネクタ５ｂは、概略、第１の実施の形態による相手側コネクタ５と同様の構成を備えているが、横方向（Ｙ方向）の両端に、前後方向（Ｘ方向）に沿って延びる相手側溝８ｂが形成されている点で異なっている。
【００４７】
図９乃至図１１から理解されるように、シェル３０ｂは、一枚の金属板を打ち抜いた後、折り曲げて形成されたものであり、保持部材２０に取り付けられている。シェル３０ｂは、保持部材２０を部分的に覆う主部４０ｂと、主部４０ｂを回路基板（図示せず）に固定するための２つの固定部７０ｂとを有している。
【００４８】
本実施の形態による主部４０ｂは、前方（＋Ｘ側）から見た場合に、横方向（Ｙ方向）に長手を有する角筒状の形状を有しており、相手側コネクタ５ｂを受容する受容部４を構成している。
【００４９】
詳しくは、主部４０ｂは、２つの板状の側部５０ｂと、横方向（Ｙ方向）において側部５０ｂの上縁５２同士を連結する板状の上部６０と、横方向（Ｙ方向）において側部５０ｂの下縁５４同士を連結する板状の底部６５とを有している。折り曲げ形成時の曲げ部のカーブ（Ｒ）を除き、概略、側部５０ｂは、横方向（Ｙ方向）と直交する面内（ＸＺ平面内）に延びており、上部６０及び底部６５は、横方向（Ｙ方向）を含む所定平面（水平面：ＸＹ平面）と平行に延びている。側部５０ｂの後端には、下方（−Ｚ方向）に延びるポスト５６が形成されている。本実施の形態による底部６５は、２つの部位からなり横方向（Ｙ方向）の中心近傍で互いに接続されるように、かしめられている。
【００５０】
図９及び図１１を参照すると、本実施の形態による側部５０ｂには、側部５０ｂを横方向（Ｙ方向）において貫通する開口部５８ｂが形成されている。図１１から予想されるように、開口部５８ｂは、角の丸められた長方形形状を有している。前後方向（Ｘ方向）において、開口部５８ｂは、後端部２４よりも前方（＋Ｘ側：嵌合端側）に位置している。
【００５１】
固定部７０ｂは、側部５０ｂと接続された本体部７５ｂと、本体部７５ｂから横方向（Ｙ方向）の内側に向かって延びる補強部８０ｂと、本体部７５ｂから横方向（Ｙ方向）の外側に向かって延びるフランジ部８５とを有している。
【００５２】
本実施の形態においても、本体部７５ｂは、側部５０ｂと平行に延びている。また、側部５０ｂと固定部７０ｂとの境界部９０は、コネクタ１ｂの前端（嵌合端）２側に位置しており、所定平面（ＸＹ平面）と直交する方向に延びている。
【００５３】
補強部８０ｂは、本体部７５ｂから側部５０ｂの開口部５８ｂを通って受容部４内まで延びている。即ち、補強部８０ｂは、横方向（Ｙ方向）において側部５０ｂを貫通し、本体部７５から横方向（Ｙ方向）の内側に向かって延びている。かかる補強部８０ｂは、相手側コネクタ５ｂとコネクタ１とを嵌合した状態において、相手側コネクタ５ｂの相手側溝８ｂに部分的に差し込まれる。
【００５４】
フランジ部８５には、孔８８が設けられている。この孔８８は、コネクタ１ｂを回路基板（図示せず）上にネジ留め固定等する際に用いられる。なお、フランジ部８５を半田付けにより固定してもよい。
【００５５】
本実施の形態においても、境界部９０が所定平面（ＸＹ平面：水平面）と直交していることから、コネクタ１ｂに対して回路基板（図示せず）から離れる方向に向かう力が加えられた場合であっても、側部５０ｂと固定部７０ｂとが離れてしまうようなことがない。また、上述した力が加わった場合であっても、補強部８０ｂが相手側コネクタ５ｂの相手側溝８ｂに保持されており、また、補強部８０ｂが側部５０ｂの開口部５８ｂの縁部に接触することから、力が分散し、境界部９０のみにストレスが加わってしまうことがなく、当該ストレスによる境界部９０の損傷の発生を抑えることができる。
【００５６】
特に、本実施の形態によるコネクタ１ｂの場合、補強部８０ｂが相手側コネクタ５ｂの相手側溝８ｂに保持されていることから、回路基板（図示せず）から離す方向へ向かう力がコネクタ１ｂに加わった場合のみならず、逆方向に向かう力がコネクタ１ｂに加わった場合にもシェル３０ｂの変形を抑制することができる。
【００５７】
（第４の実施の形態）
図１４乃至図１７を参照すると、本発明の第４の実施の形態によるコネクタ１ｃは、上述した第３の実施の形態によるコネクタ１ｂ（図９乃至図１１参照）の変形例であり、上述した相手側コネクタ５ｂ（図１２及び図１３参照）と嵌合接続することのできるものである。図示されたように、本実施の形態によるコネクタ１ｃは、導電体からなる複数のコンタクト１０と、コンタクト１０を保持する絶縁体からなる保持部材２０ｃと、金属からなるシェル３０ｃとを備えている。本実施の形態によるコネクタ１ｂは、上述した第３の実施の形態によるコネクタ１ｂ（図９乃至図１１参照）と比較して、保持部材２０ｃとシェル３０ｃとにおいて異なっている。以下においては、主として、第３の実施の形態によるコネクタ１ｂと本実施の形態によるコネクタ１ｃとの相違点ついて説明する。
【００５８】
図１６に最も良く示されているように、保持部材２０ｃのブロック状の後端部２４の横方向（Ｙ方向）の両端には、溝２８ｃが形成されている。この溝２８ｃは、図１６及び図１７から理解されるように、横方向（Ｙ方向）の内側に凹んだものであり、前後方向（Ｘ方向）に延びている。
【００５９】
図１４乃至図１７から理解されるように、シェル３０ｃは、一枚の金属板を打ち抜いた後、折り曲げて形成されたものであり、保持部材２０ｃに取り付けられている。シェル３０ｃは、保持部材２０ｃを部分的に覆う主部４０ｃと、主部４０ｃを回路基板（図示せず）に固定するための２つの固定部７０ｃとを有している。
【００６０】
本実施の形態による主部４０ｃは、前方（＋Ｘ側）から見た場合に、横方向（Ｙ方向）に長手を有する角筒状の形状を有しており、相手側コネクタ５ｂを受容する受容部４を構成している。
【００６１】
詳しくは、主部４０ｃは、２つの板状の側部５０ｃと、横方向（Ｙ方向）において側部５０ｃの上縁５２同士を連結する板状の上部６０と、横方向（Ｙ方向）において側部５０ｃの下縁５４同士を連結する板状の底部６５とを有している。折り曲げ形成時の曲げ部のカーブ（Ｒ）を除き、概略、側部５０ｃは、横方向（Ｙ方向）と直交する面内（ＸＺ平面内）に延びており、上部６０及び底部６５は、横方向（Ｙ方向）を含む所定平面（水平面：ＸＹ平面）と平行に延びている。側部５０ｃの後端には、下方（−Ｚ方向）に延びるポスト５６が形成されている。本実施の形態による底部６５は、２つの部位からなり横方向（Ｙ方向）の中心近傍で互いに接続されるように、かしめられている。
【００６２】
図１４及び図１７を参照すると、本実施の形態による側部５０ｃには、側部５０ｃを横方向（Ｙ方向）において貫通する開口部５８ｃが形成されている。図１７から予想されるように、開口部５８ｃは、角の丸められた長方形形状を有している。本実施の形態による開口部５８ｃは、第３の実施の形態による開口部５８ｂ（図１１参照）とは異なり、前後方向（Ｘ方向）において、後端部２４（図３参照）と重複している。詳しくは、開口部５８ｃは、前後方向（Ｘ方向）において、第３の実施の形態による開口部５８ｂ（図１１参照）よりも長い。開口部５８ｃの後端３よりの部位の横方向（Ｙ方向）の内側には、溝２８ｃが位置している。
【００６３】
固定部７０ｃは、側部５０ｃと接続された本体部７５ｃと、本体部７５ｃから横方向（Ｙ方向）の内側に向かって延びる補強部８０ｃと、本体部７５ｃから横方向（Ｙ方向）の外側に向かって延びるフランジ部８５とを有している。
【００６４】
本実施の形態においても、本体部７５ｃは、側部５０ｃと平行に延びている。また、側部５０ｃと固定部７０ｃとの境界部９０は、コネクタ１ｃの前端（嵌合端）２側に位置しており、所定平面（ＸＹ平面）と直交する方向に延びている。
【００６５】
補強部８０ｃは、本体部７５ｃから側部５０ｃの開口部５８ｃを通って受容部４内まで延びている。即ち、補強部８０ｃは、横方向（Ｙ方向）において側部５０ｃを貫通し、本体部７５から横方向（Ｙ方向）の内側に向かって延びている。この補強部８０ｃの後端３よりの部位は、保持部材２０の溝２８ｃに差し込まれる。更に、かかる補強部８０ｃは、相手側コネクタ５ｂとコネクタ１とを嵌合した状態において、相手側コネクタ５ｂの相手側溝８ｂに部分的に差し込まれる。
【００６６】
フランジ部８５には、孔８８が設けられている。この孔８８は、コネクタ１ｃを回路基板（図示せず）上にネジ留め固定等する際に用いられる。なお、フランジ部８５を半田付けにより固定してもよい。
【００６７】
本実施の形態においても、境界部９０が所定平面（ＸＹ平面：水平面）と直交していることから、コネクタ１ｃに対して回路基板（図示せず）から離れる方向に向かう力が加えられた場合であっても、側部５０ｃと固定部７０ｃとが離れてしまうようなことがない。また、上述した力が加わった場合であっても、補強部８０ｃが保持部材２０ｃの溝２８ｃ及び相手側コネクタ５ｂの相手側溝８ｂに保持されており、また、補強部８０ｃが側部５０ｃの開口部５８ｃの縁部に接触することから、力が分散し、境界部９０のみにストレスが加わってしまうことがなく、当該ストレスによる境界部９０の損傷の発生を抑えることができる。
【００６８】
更に、本実施の形態においても、補強部８０ｃが保持部材２０ｃの溝２８ｃ及び相手側コネクタ５ｂの相手側溝８ｂに保持されていることから、回路基板（図示せず）から離す方向へ向かう力がコネクタ１ｃに加わった場合のみならず、逆方向に向かう力がコネクタ１ｃに加わった場合にもシェル３０ｃの変形を抑制することができる。
【００６９】
上述した実施の形態では、固定部の本体部７５，７５ａ，７５ｂ，７５ｃをコネクタの前端側（相手側コネクタとの嵌合側）で側部５０，５０ｂ，５０ｃと接続するようにしたが、コネクタの後端側のポスト５６を形成した部分から本体部を前方に折り曲げ形成して、後端側で側部５０，５０ｂ，５０ｃと接続するように形成してもよい。なお、相手側コネクタが煽られた場合等の強度を考慮するとコネクタの前端側（相手側コネクタとの嵌合側）で側部５０，５０ｂ，５０ｃと接続した方が煽りに対しては強い。
【００７０】
また、上述した実施の形態では、固定部の数を２つに限定してあるが、コネクタの前端側（相手側コネクタとの嵌合側）と後端側の両側のそれぞれから固定部の本体部を設けるなどして、固定部の数は２以上であればいくつ設けてもよい。
【符号の説明】
【００７１】
１，１ａ，１ｂ，１ｃ        コネクタ
２        前端（嵌合端）
３        後端
４        受容部
５，５ｂ        相手側コネクタ
６        相手側嵌合部
７        相手側受容部
８ｂ        相手側溝
１０        コンタクト
２０，２０ｃ        保持部材
２２        板状部
２４        後端部
２６        位置決めボス
２８ｃ        溝
３０，３０ａ，３０ｂ，３０ｃ        シェル
４０，４０ａ，４０ｂ，４０ｃ        主部
５０，５０ｂ，５０ｃ        側部
５２        上縁
５４        下縁
５６        ポスト
５８ｂ，５８ｃ        開口部
６０，６０ａ        上部
６２ａ        凹部
６５        底部
７０，７０ａ，７０ｂ，７０ｃ        固定部
７５，７５ａ，７５ｂ，７５ｃ        本体部
８０，８０ａ，８０ｂ，８０ｃ        補強部
８５，８５ａ        フランジ部
８８        孔
９０        境界部
【図１】
0005391289.tif 000002
【図２】
0005391289.tif 000003
【図３】
0005391289.tif 000004
【図４】
0005391289.tif 000005
【図５】
0005391289.tif 000006
【図６】
0005391289.tif 000007
【図７】
0005391289.tif 000008
【図８】
0005391289.tif 000009
【図９】
0005391289.tif 000010
【図１０】
0005391289.tif 000011
【図１１】
0005391289.tif 000012
【図１２】
0005391289.tif 000013
【図１３】
0005391289.tif 000014
【図１４】
0005391289.tif 000015
【図１５】
0005391289.tif 000016
【図１６】
0005391289.tif 000017
【図１７】
0005391289.tif 000018